(57)【要約】【課題】いかなる長さの管であっても、その管が健全である限り、高い歩留まりで、レベルワウンドコイルおよびレベルワウンドコイル梱包体を提供する。【解決手段】底板と、天板とを備え、管を円筒状に巻回してなる少なくとも１段のコイル部を前記底板と天板とで挟み込んだレベルワウンドコイルであって、前記レベルワウンドコイルから前記管を巻き解きするときの前記管の巻き解き開始管端が前記レベルワウンドコイルの最外周に位置し、且つ、最外周にある前記管が底板から天板方向に巻回されていることを特徴とするレベルワウンドコイル。【選択図】図７
2007153601.tif 000002
【特許請求の範囲】
【請求項１】
底板と、天板とを備え、
管を円筒状に巻回してなる少なくとも１段のコイル部を前記底板と天板とで挟み込んだレベルワウンドコイルであって、
前記レベルワウンドコイルから前記管を巻き解きするときの前記管の巻き解き開始管端が前記レベルワウンドコイルの最外周に位置し、且つ、最外周にある前記管が底板から天板方向に巻回されていることを特徴とするレベルワウンドコイル。
【請求項２】
底板と、
天板と、
前記底板と天板との間に、管を円筒状に巻回してなるレベルワウンドコイルを少なくとも１段配置したレベルワウンドコイル梱包体であって、
前記レベルワウンドコイル梱包体から前記管を巻き解きするときの前記管の巻き解き開始の管端が、前記レベルワウンドコイル梱包体の最上段にあるレベルワウンドコイルの最外周に位置し、且つ最外周にある前記管が底板から天板方向に巻回されていることを特徴とするレベルワウンドコイル梱包体。
【請求項３】
管を円筒状に巻回してなるレベルワウンドコイルの最内周管に沿って支持部材が備えられていることを特徴とする請求項２記載のレベルワウンドコイル梱包体。
【請求項４】
前記支持部材が、隣り合うレベルワウンドコイルに跨って設けられることを特徴とする請求項３記載のレベルワウンドコイル梱包体。
【請求項５】
管を円周状に巻回し、径方向に複数層整列巻してなるレベルワウンドコイルを非回転状態に載置し、前記管の最外層から巻解くことを特徴とするレベルワウンドコイル巻き解き方法。
【発明の詳細な説明】
【技術分野】
【０００１】
本発明は、エアコンなどの空調冷凍機の伝熱管（内面溝付管および平滑管など）、建築物の給湯・給水配管などに使用されるもので、銅又は銅合金管などをコイル状に多層に整列巻きし、その軸方向が垂直になるように配置され、巻き解かれるレベルワウンドコイルおよび、そのレベルワウンドコイルで構成されるレベルワウンドコイル梱包体に関する。
【背景技術】
【０００２】
レベルワウンドコイル（Ｌｅｖｅｌ  Ｗｏｕｎｄ  Ｃｏｉｌ：以下、ＬＷＣと称す）は、通常、図１０に示すように、複数個のＬＷＣが、その軸方向が垂直になるように配置された多段積みＬＷＣ梱包体として提供される。図１０において、１０は多段積みＬＷＣ梱包体、１１はＬＷＣ、８は多段積みしたＬＷＣを仕切る板材（緩衝材となるドーナツ紙など）、１２はＬＷＣを巻き解く場合の管２を案内するガイド、１３はＬＷＣを積載するパレットである。
【０００３】
このような多段積みＬＷＣ梱包体１０のＬＷＣ１１を巻き解く場合、特許文献１〜３で示されるように、最上段にあるＬＷＣ１１の巻き解き開始の管端は、通常、巻回の容易なこと、および管端の取り出しの容易なことからＬＷＣ１１の最内周の上面または下面に設けられている。
【０００４】
【特許文献１】特開２００４−２３１３４８号公報
【特許文献２】特開２００４−１４２８５４号公報
【特許文献３】特開２００５−１２６１９８号公報
【発明の開示】
【発明が解決しようとする課題】
【０００５】
しかしながら、特許文献１の図７、特許文献２の図６、特許文献３の図６のように、ＬＷＣの巻き解き終了の管端が、ＬＷＣの最外周に位置し、その最外周の管がＬＷＣの上から下へ巻回されている場合、ＬＷＣの下面レベルに到達していないと巻回された管は、下にずり落ちる可能性が高く、したがって、管表面を傷つけたり、管そのものが折れたりしてしまう恐れがある。このような品質の低下を防止するためには、最外周の管がＬＷＣの上から下へ巻回される場合において、ＬＷＣの下面レベルに管が到達しないことが明らかなときは、その前の奇数層の下面レベルに管が到達した時点で、管の巻回を終了し、残りの管は切断してしまう必要があり、それゆえ歩留まりの低下を招く結果となる。
【０００６】
また、特許文献１から特許文献３で提案されるＬＷＣの構造では、図８に示すようにターンテーブルを用いないで管を巻き解く、ターンテーブル不使用方式による巻き解き方法を採用し、管を内側の管端から巻き解く場合には、ＬＷＣの管の巻層の数は奇数層にすることが好ましいという制約ができてしまい、これも余分な管の発生原因となってしまう。
更に、管を内側の管端から巻き解く場合、ＬＷＣの内径が変化する。そのため、巻き解きの途中で管の不良が発見された際、残りのＬＷＣは把持具で持ち上げ、廃棄することになるが、ＬＷＣを内側から押し付けて持ち上げるタイプの把持具で押圧把持することが困難になるために、ＬＷＣの廃棄が困難になってしまうという問題が生じる。
【０００７】
本発明は、このような状況に鑑みなされたもので、いかなる長さの管であっても、その管が健全である限り、高い歩留まりで管を巻回することができ、且つ管の不良が発見された際に残りのＬＷＣの廃棄が容易なＬＷＣ、ＬＷＣ梱包体およびＬＷＣ巻き解き方法を提供するものである。
【課題を解決するための手段】
【０００８】
請求項１記載の発明は、管を円筒状に巻回してなる少なくとも１段のコイル部を前記底板と天板とで挟み込んだＬＷＣであって、前記ＬＷＣから前記管を巻き解きするときの前記管の巻き解き開始管端が前記ＬＷＣの最外周に位置し、且つ、最外周にある前記管が底板から天板方向に巻回されていることを特徴とするＬＷＣである。
【０００９】
請求項２記載の発明は、底板と、天板と、前記底板と天板との間に、管を円筒状に巻回してなるＬＷＣを少なくとも１段配置したＬＷＣ梱包体であって、前記ＬＷＣ梱包体から前記管を巻き解きするときの前記管の巻き解き開始の管端が、前記ＬＷＣ梱包体の最上段にあるＬＷＣの最外周に位置し、且つ最外周にある前記管が底板から天板方向に巻回されていることを特徴とするＬＷＣ梱包体である。
【００１０】
請求項３記載の発明は、管を円筒状に巻回してなるＬＷＣの最内周管に沿って支持部材が備えられていることを特徴とする請求項２記載のＬＷＣ梱包体である。
【００１１】
請求項４記載の発明は、前記支持部材が、隣り合うＬＷＣに跨って設けられることを特徴とする請求項３記載のＬＷＣ梱包体である。
【００１２】
請求項５記載の発明は、管を円周状に巻回し、径方向に複数層整列巻してなるＬＷＣを非回転状態に載置し、前記管の最外層から巻き解くことを特徴とするＬＷＣ巻き解き方法である。
【発明の効果】
【００１３】
本発明に係るＬＷＣは、底板と天板と、それらで挟み込んだ少なくとも１段のコイル部からなるもので、最外周に巻き解き開始となる管端を有し、更に、最外周にある管が底板から天板方向に巻回されていることにより、ＬＷＣを構成する管の歩留まりを高く維持する効果を有する。
また、本発明に係るＬＷＣ梱包体は、最外周に巻き解き開始となる管端を有し、且つＬＷＣ内周に接して支持部材が設けられていることにより、ＬＷＣの外周部側から管の巻き解きを行っても、ＬＷＣが崩れることなく巻き解きができ、更に、ＬＷＣ梱包体の輸送時には、支持部材がＬＷＣの揺れを抑えることで、管が傷つくことを予防し、歩留まりの低下を防ぐ効果を示す。
【発明を実施するための最良の形態】
【００１４】
図を参照して本発明の実施形態を具体的に説明する。
図１は、本発明の第一の実施形態を示す縦断面図である。図１において、１はＬＷＣ（レベルワウントコイル）、２は管、３は最外周（第１周）に位置する管、３ａは巻き解き開始の管端、４は第２周に位置する管、５は第３周に位置する管、６は第４周に位置する管、６ａは巻き解き終了管端、６６は第４周に位置する管、７は第５周に位置する管、７ａは巻き解き終了管端、１００はＬＷＣの下面レベル、１０１はＬＷＣの上面レベルである。
図１（ａ）は、５周からなるＬＷＣ１で、管７が最内周管で、下面レベル１００から巻回されている。図１（ｂ）は、４周からなるＬＷＣ１で、管６６が最内周管で、上面レベル１０１から巻回されている。
【００１５】
通常、管を巻回してＬＷＣを作製する場合、ＬＷＣの内周の管から巻回が始められ、供給された長さを巻回して終了するが、最外周の管が外周の上面レベルから下面レベル方向に巻回され、且つ下面レベルに到達していない場合には、ＬＷＣの保管時や管の巻き解き時に、管のずり落ちなどが生じて管を損傷させる恐れが多くなることから、先の上面レベルの位置で管の巻回をやめて管を切断する。したがって、残りの管は余剰となってしまう。
【００１６】
これに対し、本実施形態に係るＬＷＣ１は、図１（ａ）、（ｂ）で示すように、最外周管３は、必ずＬＷＣ１の下面レベル１００から巻回されているので、ＬＷＣの保管時や管の巻き解きにおいて、最外周の管のずり落ちによる管の損傷は生じない。また、本実施形態のＬＷＣ１は、最外周の管が天板方向に巻回されているため、図８に示すように最外周の管端からスムーズに巻き解くことができる。
なお最内周の管について、最外周の管端から巻き解きたいときには、最後に巻き解かれることになるので、管のずり落ち防止のために、管端が底板９ｂ側にあることが望ましい。更に、このような場合のＬＷＣ１の内径は、巻き解きの間では変わらない。したがって、管の巻き解きの途中で管に不良が発見された場合には、最内周の管側にＬＷＣ１の内側から押し付けるタイプの把持具を押し付けて持ち上げ、ＬＷＣ１を廃棄することが容易である。
【００１７】
図２は、本発明の第二の実施形態に使用される支持部材の説明図である。図２において、９ｂは底板、１３はパレット、２２は支持部材、２２ａ〜２２ｄは支持部材の実施例の一例を示すもので、各支持部材は、ＬＷＣ１の内面１ａに沿うように置かれ、２２ａは円筒形、２２ｂ、２２ｃは多角中空体、２２ｄは方形シートを丸めた切欠き円筒形の支持部材である。
【００１８】
本実施形態では、図２に示すように、ＬＷＣ１の内側にボビンを有しない、いわゆるボビンレスのＬＷＣ１を用いている。ボビンが不必要であることから、樹脂成形品であるボビン掛かるコストを削減することが可能となるが、ボビンによるＬＷＣ１の構造を支持できる効果がその分損なわれることになる。そこで、図２に示すような簡単な支持部材２２ａから２２ｃを代わりに用い、これをＬＷＣ１の内側に矢印に示すように挿入し、ＬＷＣ１を内側から支持することで、ＬＷＣ１の構造が崩れることを防止することができる。
また、本実施形態では、最外周から管を巻解くので、最後に最内周の管を巻解くことになる。支持部材２２ａから２２ｃは、このように最後に残った最内周の管を支持するので、管のずり落ちと、それによる管の表面に傷が入ることを防止することができる。
【００１９】
図３は、他の支持部材を示す説明図である。図３において、緩衝材８（例えば紙ダンボール製）に十字スリット８ａを設け、そこに２枚の矩形ダンボール片２２０ｅを十字に組み合わせてなる十字形支持部材２２ｅを取り付けたものである。
このような構成によれば、非常に簡易に組み立て可能な支持部材２２により、最内周の管を支持することができ、好ましい。
【００２０】
図４〜図７は、先に示した支持部材２２を用いた実施形態に係るＬＷＣ梱包体の縦断面図である。図４は、円筒形支持部材２２ａを用いた場合、図５は、多角中空体２２ｃを用いた場合、図６は、切欠き円筒形支持部材２２ｄを用いた場合、図７は十字形支持部材２２ｅを用いた場合を示している。なお、図４中の符号９ａは天板を示す。
支持部材２２ａ〜２２ｅは、二つのＬＷＣ１に跨って設けられる。そのため、輸送中に加わる振動によるＬＷＣ１の位置ずれを防止できる。更に、巻き解き作業時では、巻き解きを行うＬＷＣ１の下面レベルに支持部材２２の端を移動させることで、巻き解きによる管の崩れを防止する。
【００２１】
図８に示すように本実施形態のＬＷＣ４１は、ターンテーブル不使用方式で最外周から巻き解かれる。なお、この場合、巻き方によっては底板４４（若しくは緩衝材４４）に接した管が、それより１つ上の管と挟まれて巻き解くことが困難になる場合が生じる。
表１は、ターンテーブル不使用方式において、管を最外層の管端から巻き解く場合に好ましい層構成とＬＷＣの置き方の組み合わせ（表１中で好適と表記）、及びその逆の好ましくない組み合わせ（表１中で非好適と表記）を示すものである。
【００２２】
【表１】
2007153601.tif 000003
【００２３】
表１において、「Ｎ−１巻」と表示したものは、図９（ａ）に示すように、ＬＷＣの整列巻において、最内層をＮ回巻いた構成としたときに、その一つ外側をＮ−１回巻き、それを外側の層に向かうごとに繰り返す構成である。「Ｎ巻」、「Ｎ＋１巻」（図９（ｂ）参照）も同様に巻き数を変えたものである。なお、Ｎ巻の場合は、巻き取り時にフランジ側で折り返す場合（表１中、フランジ側折り返し、図９（ｄ）参照）と、フランジ側とは逆側に折り返す場合（表１中、管側折り返し、図９（ｃ）参照）がある。
このように、できるだけ表１において、好適とされる組み合わせの配置を採用することで、管の巻き解きを効率よく行うことができ、管に対する損傷も少なくてすむものである。
以上説明したように、本発明によれば、いかなる管の長さであっても、その管が健全である限り、高い歩留まりで管を巻回することができ、且つ管の不良が発見された場合に、残りのＬＷＣの廃棄が容易なＬＷＣ、ＬＷＣ梱包体およびＬＷＣの巻き解き方法を提供することができる。
【図面の簡単な説明】
【００２４】
【図１】本発明の第一の実施形態を示す縦断面図である
【図２】本発明の第二の実施形態に使用される支持部材の説明図である。
【図３】本発明の第二の実施形態で使用される他の支持部材を示す説明図である。
【図４】本発明に係るレベルワウンドコイル梱包体の縦断面図である。
【図５】本発明に係るレベルワウンドコイル梱包体の縦断面図である。
【図６】本発明に係るレベルワウンドコイル梱包体の縦断面図である。
【図７】本発明に係るレベルワウンドコイル梱包体の縦断面図である。
【図８】ターンテーブル不使用方式による巻き解き方法を示す外観図である。
【図９】レベルワウンドコイルの層構成と置き方の関係を示す説明図である。
【図１０】従来レベルワウンドコイル及びその梱包体の外観を示す斜視説明図である。
【符号の説明】
【００２５】
１      レベルワウンドコイル
１ａ    レベルワウンドコイル内周部
３      最外周管
３ａ    外周部管端
６ａ    内周部管端
６６      最内周管
７      最内周管
７ａ    内周部管端
８      緩衝材
９ａ    底板
９ｂ    天板
１０      レベルワウンドコイル梱包体
１１      レベルワウンドコイル
１２      ガイド
１３      パレット
２２      支持部材
２２ａ    円筒形支持部材
２２ｂ    多角形支持部材（五角形断面）
２２ｃ    多角形支持部材（六角形断面）
２２ｄ    切欠き円筒形支持部材
２２ｅ    十字形支持部材
４０      レベルワウンドコイル梱包体
４１      レベルワウンドコイル
４２      ガイド
４３      パレット
４４      底板又は緩衝材
【図１】
2007153601.tif 000004
【図２】
2007153601.tif 000005
【図３】
2007153601.tif 000006
【図４】
2007153601.tif 000007
【図５】
2007153601.tif 000008
【図６】
2007153601.tif 000009
【図７】
2007153601.tif 000010
【図８】
2007153601.tif 000011
【図９】
2007153601.tif 000012
【図１０】
2007153601.tif 000013